(57)【要約】【課題】本発明は横漏れ防止のパックケースを開示した。【解決手段】パックケース及びケース蓋を含み、前記ポックケースには固定ブロックが設置され、前記固定ブロックの上端には前記ケーズ蓋と連結される回転ロッドがヒンジによって連結され、前記パックケースの中には上方に開口した保温チャンバが設置され、前記保温チャンバの中には内側ボックスが設置され、本発明は作動する過程において、傾斜の幅があまり大きくない場合、内側ボックスの中の汁が横から漏れにくく、また横から漏れても保温チャンバの中に残り、それによりパックケースの外面の清潔を保証し、使用者の食べる気持ちに影響しない。【選択図】図１
2020172328.tif 000002
【特許請求の範囲】
【請求項１】
パックケース及びケース蓋を含み、前記ポックケースには固定ブロックが設置され、前記固定ブロックの上端には前記ケーズ蓋と連結される回転ロッドがヒンジによって連結され、前記パックケースの中には上方に開口した保温チャンバが設置され、前記保温チャンバの中には内側ボックスが設置され、前記パックケースの左端面にはＵ型ブロックが設置され、前記ケース蓋の左端には下方に開口した伸縮溝が設置され、前記伸縮溝の上端壁には伸縮ばねが設置され、前記伸縮ばねの下端には下端が外部空間に位置している鉤が設置され、前記ケース蓋の中には昇降チャンバが設置され、前記昇降チャンバの中には昇降板が設置され、前記昇降板の下端面には昇降ばねが設置され、前記昇降板の下端面にはまた四本の連結ロッドが設置され、前記昇降チャンバの下端壁の中には下方に開口した移動チャンバが設置され、前記移動チャンバの上端壁には下方に開口したスライドチャンバが設置され、前記スライドチャンバの中には回字型ブロックが設置され、前記回字型ブロックの中にはスライドブロックが設置され、前記スライドブロックの上端にはＴ字型ブロックが設置され、前記移動チャンバの左端壁の中には駆動チャンバが設置され、前記回字型ブロックの左端には左端が前記駆動チャンバの中に位置している移動軸が設置され、前記移動チャンバの右端壁には外部空間と前記移動チャンバとを連通する持ち上げ溝が設置され、左側の二本の前記連結ロッドのうち一本の下端が前記駆動チャンバの中に位置し、もう一本の下端が前記スライドチャンバの中に位置し、且つその下端にはＴ型溝が設置され、右側の二本の前記連結ロッドの下端が前記持ち上げ溝の中に位置し、前記駆動チャンバの中には駆動機構が設置され、前記駆動機構はモータと、前記モータと動力が伝達できるように連結される駆動軸とを含み、前記駆動軸の右端には円筒がスライドできるように連結され、前記円筒の内部空間の上下端壁にはいずれもスライド溝が設置され、前記駆動軸の右端にはリミット板と、一端が前記スライド溝の中に位置している二つの回転ブロックとが設置され、前記駆動チャンバの右端壁には左端が前記円筒の中に位置している回転軸が設置され、前記回転軸の右端には回転歯車と二つの電磁板とが設置され、前記回転軸の左端には下方に開口した押出溝が設置され、前記押出溝の上端壁には押出ばねが設置され、前記円筒の内部空間の下端壁には上方に開口した台形溝が設置され、前記押出ばねの下端には下端が前記台形溝の中に位置している押出ブロックが設置され、前記持ち上げ溝の中には持ち上げ機構が設置され、前記持ち上げ機構が最右側の前記連結ロッドの下端壁と連結されるサポート軸を含み、前記サポート軸にはラップフィルムが設置され、右側の二番目の前記連結ロッドの下端にはサポートブロックが設置され、前記サポートブロックの中にはばねチャンバが設置され、前記ばねチャンバの中にはばね板が設置され、前記ばね板の上端には上端が外部空間に位置しているばねブロックが設置され、その作用は前記ケース蓋を閉めた後に前記ラップフィルムを利用して前記内側ボックスをきつく巻き付けて横漏れを防止するのであることを特徴とする横漏れ防止のパックケース。
【請求項２】
前記駆動機構はまた前記円筒と連結されるプッシュ歯車を含み、前記移動軸の左端には前記回転歯車と噛み合って連結される移動歯車がネジ山により結合され、前記移動歯車の左右両端には外部空間に連通する環状溝が設置され、前記電磁板の片側端面には前記環状溝の中に位置しているリミットブロックが設置され、その作用は前記移動軸を移動連動させるのであることを特徴とする請求項１に記載の横漏れ防止のパックケース。
【請求項３】
前記持ち上げ機構は前記ばねブロックの上側に位置している挟みブロックを含み、前記挟みブロックの中には二つの制限溝が設置され、前記制限溝の中には下端が前記持ち上げ溝の中に位置し、且つ前記ばねブロックと連結される二つのＴ型連結ブロックが設置され、前記ばね板の下端には圧縮ばねが設置され、前記昇降チャンバの上端壁には、下端が前記ばねチャンバの下端壁を貫通し、且つ前記ばね板と連結される弾性縄が設置され、前記ばねチャンバの左側の中には前記ばねチャンバと連通し、且つ上方に開口した昇降溝が設置され、前記昇降溝の中にはピストンが設置され、前記ピストンの上端には溶断ブロックが設置され、前記スライドブロックの下端には下端が前記移動チャンバの中に位置しているスライドロッドが設置され、前記スライドロッドの下端には右端が前記持ち上げ溝の中に位置している第一電磁ロッドが設置され、前記スライドロッドの中には前記移動チャンバに連通する持ち上げチャンバが設置され、前記持ち上げチャンバの下端壁には持ち上げばねが設置され、前記持ち上げばねの上端には制限ブロックが設置され、前記制限ブロックの右端には右端が前記持ち上げ溝の中に位置している第二電磁ロッドが設置され、その作用は一定量の前記ラップフィルムを引くのであることを特徴とする請求項１に記載の横漏れ防止のパックケース。
【発明の詳細な説明】
【技術分野】
【０００１】
本発明はパック分野に関わり、具体的には横漏れ防止のパックケースである。
【背景技術】
【０００２】
目下、仕事する人たちは出前に依頼する程度がますます高くなり、出前を時間通りに送達するために、運転手の運行速度が比較的に速く、また道路などの他の状況により、パックケースが傾斜し、パックケースの中の汁が横から漏れることが発生しやすく、それによりパックケースの外面が汚く見え、食べる人の気持ちに影響を及ぼす。
【先行技術文献】
【特許文献】
【０００３】
【特許文献１】中国特許出願公開第１０８７７３５８８号明細書
【発明の概要】
【発明が解決しようとする課題】
【０００４】
本発明の目的は横漏れ防止のパックケースを提供し、上記の背景技術の中に提示された問題を解決するのである。
【課題を解決するための手段】
【０００５】
上記目的を実現するため、本発明は以下の技術プランを提供する：本発明の横漏れ防止のパックケースは、パックケース及びケース蓋を含み、前記ポックケースには固定ブロックが設置され、前記固定ブロックの上端には前記ケーズ蓋と連結される回転ロッドがヒンジによって連結され、前記パックケースの中には上方に開口した保温チャンバが設置され、前記保温チャンバの中には内側ボックスが設置され、前記パックケースの左端面にはＵ型ブロックが設置され、前記ケース蓋の左端には下方に開口した伸縮溝が設置され、前記伸縮溝の上端壁には伸縮ばねが設置され、前記伸縮ばねの下端には下端が外部空間に位置している鉤が設置され、前記ケース蓋の中には昇降チャンバが設置され、前記昇降チャンバの中には昇降板が設置され、前記昇降板の下端面には昇降ばねが設置され、前記昇降板の下端面にはまた四本の連結ロッドが設置され、前記昇降チャンバの下端壁の中には下方に開口した移動チャンバが設置され、前記移動チャンバの上端壁には下方に開口したスライドチャンバが設置され、前記スライドチャンバの中には回字型ブロックが設置され、前記回字型ブロックの中にはスライドブロックが設置され、前記スライドブロックの上端にはＴ字型ブロックが設置され、前記移動チャンバの左端壁の中には駆動チャンバが設置され、前記回字型ブロックの左端には左端が前記駆動チャンバの中に位置している移動軸が設置され、前記移動チャンバの右端壁には外部空間と前記移動チャンバとを連通する持ち上げ溝が設置され、左側の二本の前記連結ロッドのうち一本の下端が前記駆動チャンバの中に位置し、もう一本の下端が前記スライドチャンバの中に位置し、且つその下端にはＴ型溝が設置され、右側の二本の前記連結ロッドの下端が前記持ち上げ溝の中に位置し、前記駆動チャンバの中には駆動機構が設置され、前記駆動機構はモータと、前記モータと動力が伝達できるように連結される駆動軸とを含み、前記駆動軸の右端には円筒がスライドできるように連結され、前記円筒の内部空間の上下端壁にはいずれもスライド溝が設置され、前記駆動軸の右端にはリミット板と、一端が前記スライド溝の中に位置している二つの回転ブロックとが設置され、前記駆動チャンバの右端壁には左端が前記円筒の中に位置している回転軸が設置され、前記回転軸の右端には回転歯車と二つの電磁板とが設置され、前記回転軸の左端には下方に開口した押出溝が設置され、前記押出溝の上端壁には押出ばねが設置され、前記円筒の内部空間の下端壁には上方に開口した台形溝が設置され、前記押出ばねの下端には下端が前記台形溝の中に位置している押出ブロックが設置され、前記持ち上げ溝の中には持ち上げ機構が設置され、前記持ち上げ機構が最右側の前記連結ロッドの下端壁と連結されるサポート軸を含み、前記サポート軸にはラップフィルムが設置され、右側の二番目の前記連結ロッドの下端にはサポートブロックが設置され、前記サポートブロックの中にはばねチャンバが設置され、前記ばねチャンバの中にはばね板が設置され、前記ばね板の上端には上端が外部空間に位置しているばねブロックが設置され、その作用は前記ケース蓋を閉めた後に前記ラップフィルムを利用して前記内側ボックスをきつく巻き付けて横漏れを防止するのである。
【０００６】
好ましくは、前記駆動機構はまた前記円筒と連結されるプッシュ歯車を含み、前記移動軸の左端には前記回転歯車と噛み合って連結される移動歯車がネジ山により結合され、前記移動歯車の左右両端には外部空間に連通する環状溝が設置され、前記電磁板の片側端面には前記環状溝の中に位置しているリミットブロックが設置され、その作用は前記移動軸を移動連動させるのである。
【０００７】
好ましくは、前記持ち上げ機構は前記ばねブロックの上側に位置している挟みブロックを含み、前記挟みブロックの中には二つの制限溝が設置され、前記制限溝の中には下端が前記持ち上げ溝の中に位置し、且つ前記ばねブロックと連結される二つのＴ型連結ブロックが設置され、前記ばね板の下端には圧縮ばねが設置され、前記昇降チャンバの上端壁には、下端が前記ばねチャンバの下端壁を貫通し、且つ前記ばね板と連結される弾性縄が設置され、前記ばねチャンバの左側の中には前記ばねチャンバと連通し、且つ上方に開口した昇降溝が設置され、前記昇降溝の中にはピストンが設置され、前記ピストンの上端には溶断ブロックが設置され、前記スライドブロックの下端には下端が前記移動チャンバの中に位置しているスライドロッドが設置され、前記スライドロッドの下端には右端が前記持ち上げ溝の中に位置している第一電磁ロッドが設置され、前記スライドロッドの中には前記移動チャンバに連通する持ち上げチャンバが設置され、前記持ち上げチャンバの下端壁には持ち上げばねが設置され、前記持ち上げばねの上端には制限ブロックが設置され、前記制限ブロックの右端には右端が前記持ち上げ溝の中に位置している第二電磁ロッドが設置され、その作用は一定量の前記ラップフィルムを引くのである。
【発明の効果】
【０００８】
以上により、本発明の有益な効果は：本装置は構造が簡単で、操作が便利であり、使用する時に傾斜の幅があまり大きくない場合、内側ボックスの中の汁が横から漏れにくく、また横から漏れても保温チャンバの中に残り、それによりパックケースの外面の清潔を保証し、使用者の食べる気持ちに影響しない。
【図面の簡単な説明】
【０００９】
本発明の実施例または既存の技術にある技術方案をよりはっきり説明できるため、下記に実施例または既存の技術を述べることに対して必要な附図を簡単に紹介する。明らかなように、下記に述べる附図はただ発明の一部分の実施例で、当業者にとって、創造的な労働を払わなくても、これらの附図に基づいてほかの附図を獲得でき、次に図１〜４を交えて本発明について詳しく説明する。意思の疎通に便利なために、後文に出る方位を下記通りに規定する：後文に出る上下左右前後方向は図１主体の投影関係の上下左右前後方向と一致する。
【００１０】
【図１】図１は本発明の横漏れ防止のパックケース全体断面の正面構造概略図
【図２】図２は本発明の横漏れ防止のパックケースの持ち上げ機構局部断面の左面拡大構造概略図
【図３】図３は本発明の横漏れ防止のパックケースの駆動機構局部断面の左面拡大構造概略図
【図４】図４は本発明の横漏れ防止のパックケースの持ち上げ機構局部断面の正面拡大構造概略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１−４を参照し、本発明の横漏れ防止のパックケースは、パックケース２６及びケース蓋１を含み、前記ポックケース２６には固定ブロック２９が設置され、前記固定ブロック２９の上端には前記ケーズ蓋１と連結される回転ロッド２０がヒンジによって連結され、前記パックケース２６の中には上方に開口した保温チャンバ２５が設置され、前記保温チャンバ２５の中には内側ボックス２７が設置され、前記パックケース２６の左端面にはＵ型ブロック２４が設置され、前記ケース蓋１の左端には下方に開口した伸縮溝２２が設置され、前記伸縮溝２２の上端壁には伸縮ばね２１が設置され、前記伸縮ばね２１の下端には下端が外部空間に位置している鉤２３が設置され、前記ケース蓋１の中には昇降チャンバ９が設置され、前記昇降チャンバ９の中には昇降板８が設置され、前記昇降板８の下端面には昇降ばね１０が設置され、前記昇降板８の下端面にはまた四本の連結ロッド５が設置され、前記昇降チャンバ９の下端壁の中には下方に開口した移動チャンバ７が設置され、前記移動チャンバ７の上端壁には下方に開口したスライドチャンバ１１が設置され、前記スライドチャンバ１１の中には回字型ブロック１３が設置され、前記回字型ブロック１３の中にはスライドブロック１５が設置され、前記スライドブロック１５の上端にはＴ字型ブロック１４が設置され、前記移動チャンバ７の左端壁の中には駆動チャンバ２が設置され、前記回字型ブロック１３の左端には左端が前記駆動チャンバ２の中に位置している移動軸１２が設置され、前記移動チャンバ７の右端壁には外部空間と前記移動チャンバ７とを連通する持ち上げ溝１８が設置され、左側の二本の前記連結ロッド５のうち一本の下端が前記駆動チャンバ２の中に位置し、もう一本の下端が前記スライドチャンバ１１の中に位置し、且つその下端にはＴ型溝６が設置され、右側の二本の前記連結ロッド５の下端が前記持ち上げ溝１８の中に位置し、前記駆動チャンバ２の中には駆動機構６３が設置され、前記駆動機構６３はモータ３０と、前記モータ３０と動力が伝達できるように連結される駆動軸２１とを含み、前記駆動軸２１の右端には円筒４がスライドできるように連結され、前記円筒４の内部空間の上下端壁にはいずれもスライド溝４０が設置され、前記駆動軸２１の右端にはリミット板３と、一端が前記スライド溝４０の中に位置している二つの回転ブロック４１とが設置され、前記駆動チャンバ２の右端壁には左端が前記円筒４の中に位置している回転軸４８が設置され、前記回転軸４８の右端には回転歯車４７と二つの電磁板４６とが設置され、前記回転軸４８の左端には下方に開口した押出溝４２が設置され、前記押出溝４２の上端壁には押出ばね４３が設置され、前記円筒４の内部空間の下端壁には上方に開口した台形溝４５が設置され、前記押出ばね４３の下端には下端が前記台形溝４５の中に位置している押出ブロック４４が設置され、前記持ち上げ溝１８の中には持ち上げ機構６２が設置され、前記持ち上げ機構６２が最右側の前記連結ロッド５の下端壁と連結されるサポート軸１７を含み、前記サポート軸１７にはラップフィルム２８が設置され、右側の二番目の前記連結ロッド５の下端にはサポートブロック５２が設置され、前記サポートブロック５２の中にはばねチャンバ３３が設置され、前記ばねチャンバ３３の中にはばね板３２が設置され、前記ばね板３２の上端には上端が外部空間に位置しているばねブロック３４が設置され、その作用は前記ケース蓋１を閉めた後に前記ラップフィルム２８を利用して前記内側ボックス２７をきつく巻き付けて横漏れを防止するのである。
【００１３】
有益なように、前記駆動機構６３はまた前記円筒４と連結されるプッシュ歯車５１を含み、前記移動軸１２の左端には前記回転歯車４７と噛み合って連結される移動歯車１９がネジ山により結合され、前記移動歯車１９の左右両端には外部空間に連通する環状溝５０が設置され、前記電磁板４６の片側端面には前記環状溝５０の中に位置しているリミットブロック４８が設置され、その作用は前記移動軸１２を移動連動させるのである。
【００１４】
有益なように、前記持ち上げ機構６２は前記ばねブロック３４の上側に位置している挟みブロック３７を含み、前記挟みブロック３７の中には二つの制限溝３５が設置され、前記制限溝３５の中には下端が前記持ち上げ溝１８の中に位置し、且つ前記ばねブロック３４と連結される二つのＴ型連結ブロック３６が設置され、前記ばね板３２の下端には圧縮ばね３８が設置され、前記昇降チャンバ９の上端壁には、下端が前記ばねチャンバ３３の下端壁を貫通し、且つ前記ばね板３２と連結される弾性縄３９が設置され、前記ばねチャンバ３３の左側の中には前記ばねチャンバ３３と連通し、且つ上方に開口した昇降溝５９が設置され、前記昇降溝５９の中にはピストン５８が設置され、前記ピストン５８の上端には溶断ブロック５７が設置され、前記スライドブロック１５の下端には下端が前記移動チャンバ７の中に位置しているスライドロッド１６が設置され、前記スライドロッド１６の下端には右端が前記持ち上げ溝１８の中に位置している第一電磁ロッド５６が設置され、前記スライドロッド１６の中には前記移動チャンバ７に連通する持ち上げチャンバ５５が設置され、前記持ち上げチャンバ５５の下端壁には持ち上げばね５３が設置され、前記持ち上げばね５３の上端には制限ブロック５４が設置され、前記制限ブロック５４の右端には右端が前記持ち上げ溝１８の中に位置している第二電磁ロッド６０が設置され、その作用は一定量の前記ラップフィルム２８を引くのである。
【００１５】
下記に、出願人は附図１−４及び上記の本出願の横漏れ防止のパックケースの具体的な構成を参考して本出願の横漏れ防止のパックケースの使用方法を詳しく紹介する：
【００１６】
初期状態にある時、円筒４と左側の電磁板４６とが互いに吸引し、回字型ブロック１３がスライドブロック１５と摩擦により連結され、但しスライドブロック１５が落ちない。
【００１７】
食べものを内側ボックス２７の中に入れ、ケース蓋１を閉め、鉤２３を引いて鉤２３の下端にＵ型ブロック２４を引っかからせ、第一電磁ロッド５６と第二電磁ロッド６０とが作動してラップフィルム２８の左端をきつく挟み、この時にモータ３０が作動して駆動軸３１を回転させ、それにより回転ブロック４１、円筒４、回転軸４８、プッシュ歯車５１、回転歯車４７及び移動歯車１９を回転連動させ、それにより移動軸１２を連動させて左へ運動させ、それによりスライドブロック１５、回字型ブロック１３、Ｔ字型ブロック１４及びスライドロッド１６を左へ運動させ、それによりきつく挟んでいるラップフィルム２８を左へ引き、Ｔ字型ブロック１４がＴ字型溝６の中に位置している時、左側の電磁板４６と円筒４とが互いに反発し合い、それにより円筒４とリミット板３とが当接し、押出ブロック４４が押出溝４２に位置し、プッシュ歯車５１が最左側の連結ロッド５の下端と噛み合い、駆動軸３１の回転が回転軸４８を回転連動させなくなり、プッシュ歯車５１が回転して連結ロッド５を連動させて下降させ、それにより昇降板８と他の三本の連結ロッド５とがいずれも下へ運動し、左側の二番目の連結ロッド５がラップフィルム２８の左端を下降連動させ、左側の二本の連結ロッド５が伝動機構６２を下降連動させる。
【００１８】
昇降板８が最下側まで下降した時、弾性縄３９が最大引張限度まで引っ張られ、且つばね板３２を下降連動させ、それにより挟みブロック３７がサポートブロック５２の上面に位置し、ラップフィルム２８をきつく挟み、ばね板３２の下降によりピストン５８が溶断ブロック５７を上昇連動させ、溶断ブロック５７がラップフィルム２８と接触した後に作動して発熱してラップフィルムを切断し、ラップフィルム２８と内側ボックス２７との相対的な密封を完成し、装置が逆方向に作動し、復帰を完成する。
【００１９】
本発明の有益な効果は：本装置は構造が簡単で、操作が便利であり、使用する時に傾斜の幅があまり大きくない場合、内側ボックスの中の汁が横から漏れにくく、また横から漏れても保温チャンバの中に残り、それによりパックケースの外面の清潔を保証し、使用者の食べる気持ちに影響しない。
【００２０】
上記は本発明の具体的な実施方式であり、但し発明の保護範囲はこれだけに限らなく、すべての創造的な労働を通さない場合で想到する変化または入れ替えりは、発明の保護範囲に含まれる。そのため、発明の保護範囲は請求項に限定した保護範囲に基づくべきである。
【図１】
2020172328.tif 000003
【図２】
2020172328.tif 000004
【図３】
2020172328.tif 000005
【図４】
2020172328.tif 000006
【手続補正書】
【提出日】令和1年8月14日(2019.8.14)
【手続補正１】
【補正対象書類名】特許請求の範囲
【補正対象項目名】請求項１
【補正方法】変更
【補正の内容】
【請求項１】
パックケース及びケース蓋を含み、前記パックケースには固定ブロックが設置され、前記固定ブロックの上端には前記ケース蓋と連結される回転ロッドがヒンジによって連結され、前記パックケースの中には上方に開口した保温チャンバが設置され、前記保温チャンバの中には内側ボックスが設置され、前記パックケースの左端面にはＵ型ブロックが設置され、前記ケース蓋の左端には下方に開口した伸縮溝が設置され、前記伸縮溝の上端壁には伸縮ばねが設置され、前記伸縮ばねの下端には下端が外部空間に位置している鉤が設置され、前記ケース蓋の中には昇降チャンバが設置され、前記昇降チャンバの中には昇降板が設置され、前記昇降板の下端面には昇降ばねが設置され、前記昇降板の下端面にはまた四本の連結ロッドが設置され、前記昇降チャンバの下端壁の中には下方に開口した移動チャンバが設置され、前記移動チャンバの上端壁には下方に開口したスライドチャンバが設置され、前記スライドチャンバの中には回字型ブロックが設置され、前記回字型ブロックの中にはスライドブロックが設置され、前記スライドブロックの上端にはＴ字型ブロックが設置され、前記移動チャンバの左端壁の中には駆動チャンバが設置され、前記回字型ブロックの左端には左端が前記駆動チャンバの中に位置している移動軸が設置され、前記移動チャンバの右端壁には外部空間と前記移動チャンバとを連通する持ち上げ溝が設置され、左側の二本の前記連結ロッドのうち一本の下端が前記駆動チャンバの中に位置し、もう一本の下端が前記スライドチャンバの中に位置し、且つその下端にはＴ型溝が設置され、右側の二本の前記連結ロッドの下端が前記持ち上げ溝の中に位置し、前記駆動チャンバの中には駆動機構が設置され、前記駆動機構はモータと、前記モータと動力が伝達できるように連結される駆動軸とを含み、前記駆動軸の右端には円筒がスライドできるように連結され、前記円筒の内部空間の上下端壁にはいずれもスライド溝が設置され、前記駆動軸の右端にはリミット板と、一端が前記スライド溝の中に位置している二つの回転ブロックとが設置され、前記駆動チャンバの右端壁には左端が前記円筒の中に位置している回転軸が設置され、前記回転軸の右端には回転歯車と二つの電磁板とが設置され、前記回転軸の左端には下方に開口した押出溝が設置され、前記押出溝の上端壁には押出ばねが設置され、前記円筒の内部空間の下端壁には上方に開口した台形溝が設置され、前記押出ばねの下端には下端が前記台形溝の中に位置している押出ブロックが設置され、前記持ち上げ溝の中には持ち上げ機構が設置され、前記持ち上げ機構が最右側の前記連結ロッドの下端壁と連結されるサポート軸を含み、前記サポート軸にはラップフィルムが設置され、右側の二番目の前記連結ロッドの下端にはサポートブロックが設置され、前記サポートブロックの中にはばねチャンバが設置され、前記ばねチャンバの中にはばね板が設置され、前記ばね板の上端には上端が外部空間に位置しているばねブロックが設置され、その作用は前記ケース蓋を閉めた後に前記ラップフィルムを利用して前記内側ボックスをきつく巻き付けて横漏れを防止するのであることを特徴とする横漏れ防止のパックケース。
【手続補正２】
【補正対象書類名】明細書
【補正対象項目名】全文
【補正方法】変更
【補正の内容】
【発明の詳細な説明】
【技術分野】
【０００１】
本発明はパック分野に関わり、具体的には横漏れ防止のパックケースである。
【背景技術】
【０００２】
目下、仕事する人たちは出前に依頼する程度がますます高くなり、出前を時間通りに送達するために、運転手の運行速度が比較的に速く、また道路などの他の状況により、パックケースが傾斜し、パックケースの中の汁が横から漏れることが発生しやすく、それによりパックケースの外面が汚く見え、食べる人の気持ちに影響を及ぼす。
【先行技術文献】
【特許文献】
【０００３】
【特許文献１】中国特許出願公開第１０８７７３５８８号明細書
【発明の概要】
【発明が解決しようとする課題】
【０００４】
本発明の目的は横漏れ防止のパックケースを提供し、上記の背景技術の中に提示された問題を解決するのである。
【課題を解決するための手段】
【０００５】
上記目的を実現するため、本発明は以下の技術プランを提供する：本発明の横漏れ防止のパックケースは、パックケース及びケース蓋を含み、前記パックケースには固定ブロックが設置され、前記固定ブロックの上端には前記ケース蓋と連結される回転ロッドがヒンジによって連結され、前記パックケースの中には上方に開口した保温チャンバが設置され、前記保温チャンバの中には内側ボックスが設置され、前記パックケースの左端面にはＵ型ブロックが設置され、前記ケース蓋の左端には下方に開口した伸縮溝が設置され、前記伸縮溝の上端壁には伸縮ばねが設置され、前記伸縮ばねの下端には下端が外部空間に位置している鉤が設置され、前記ケース蓋の中には昇降チャンバが設置され、前記昇降チャンバの中には昇降板が設置され、前記昇降板の下端面には昇降ばねが設置され、前記昇降板の下端面にはまた四本の連結ロッドが設置され、前記昇降チャンバの下端壁の中には下方に開口した移動チャンバが設置され、前記移動チャンバの上端壁には下方に開口したスライドチャンバが設置され、前記スライドチャンバの中には回字型ブロックが設置され、前記回字型ブロックの中にはスライドブロックが設置され、前記スライドブロックの上端にはＴ字型ブロックが設置され、前記移動チャンバの左端壁の中には駆動チャンバが設置され、前記回字型ブロックの左端には左端が前記駆動チャンバの中に位置している移動軸が設置され、前記移動チャンバの右端壁には外部空間と前記移動チャンバとを連通する持ち上げ溝が設置され、左側の二本の前記連結ロッドのうち一本の下端が前記駆動チャンバの中に位置し、もう一本の下端が前記スライドチャンバの中に位置し、且つその下端にはＴ型溝が設置され、右側の二本の前記連結ロッドの下端が前記持ち上げ溝の中に位置し、前記駆動チャンバの中には駆動機構が設置され、前記駆動機構はモータと、前記モータと動力が伝達できるように連結される駆動軸とを含み、前記駆動軸の右端には円筒がスライドできるように連結され、前記円筒の内部空間の上下端壁にはいずれもスライド溝が設置され、前記駆動軸の右端にはリミット板と、一端が前記スライド溝の中に位置している二つの回転ブロックとが設置され、前記駆動チャンバの右端壁には左端が前記円筒の中に位置している回転軸が設置され、前記回転軸の右端には回転歯車と二つの電磁板とが設置され、前記回転軸の左端には下方に開口した押出溝が設置され、前記押出溝の上端壁には押出ばねが設置され、前記円筒の内部空間の下端壁には上方に開口した台形溝が設置され、前記押出ばねの下端には下端が前記台形溝の中に位置している押出ブロックが設置され、前記持ち上げ溝の中には持ち上げ機構が設置され、前記持ち上げ機構が最右側の前記連結ロッドの下端壁と連結されるサポート軸を含み、前記サポート軸にはラップフィルムが設置され、右側の二番目の前記連結ロッドの下端にはサポートブロックが設置され、前記サポートブロックの中にはばねチャンバが設置され、前記ばねチャンバの中にはばね板が設置され、前記ばね板の上端には上端が外部空間に位置しているばねブロックが設置され、その作用は前記ケース蓋を閉めた後に前記ラップフィルムを利用して前記内側ボックスをきつく巻き付けて横漏れを防止するのである。
【０００６】
好ましくは、前記駆動機構はまた前記円筒と連結されるプッシュ歯車を含み、前記移動軸の左端には前記回転歯車と噛み合って連結される移動歯車がネジ山により結合され、前記移動歯車の左右両端には外部空間に連通する環状溝が設置され、前記電磁板の片側端面には前記環状溝の中に位置しているリミットブロックが設置され、その作用は前記移動軸を移動連動させるのである。
【０００７】
好ましくは、前記持ち上げ機構は前記ばねブロックの上側に位置している挟みブロックを含み、前記挟みブロックの中には二つの制限溝が設置され、前記制限溝の中には下端が前記持ち上げ溝の中に位置し、且つ前記ばねブロックと連結される二つのＴ型連結ブロックが設置され、前記ばね板の下端には圧縮ばねが設置され、前記昇降チャンバの上端壁には、下端が前記ばねチャンバの下端壁を貫通し、且つ前記ばね板と連結される弾性縄が設置され、前記ばねチャンバの左側の中には前記ばねチャンバと連通し、且つ上方に開口した昇降溝が設置され、前記昇降溝の中にはピストンが設置され、前記ピストンの上端には溶断ブロックが設置され、前記スライドブロックの下端には下端が前記移動チャンバの中に位置しているスライドロッドが設置され、前記スライドロッドの下端には右端が前記持ち上げ溝の中に位置している第一電磁ロッドが設置され、前記スライドロッドの中には前記移動チャンバに連通する持ち上げチャンバが設置され、前記持ち上げチャンバの下端壁には持ち上げばねが設置され、前記持ち上げばねの上端には制限ブロックが設置され、前記制限ブロックの右端には右端が前記持ち上げ溝の中に位置している第二電磁ロッドが設置され、その作用は一定量の前記ラップフィルムを引くのである。
【発明の効果】
【０００８】
以上により、本発明の有益な効果は：本装置は構造が簡単で、操作が便利であり、使用する時に傾斜の幅があまり大きくない場合、内側ボックスの中の汁が横から漏れにくく、また横から漏れても保温チャンバの中に残り、それによりパックケースの外面の清潔を保証し、使用者の食べる気持ちに影響しない。
【図面の簡単な説明】
【０００９】
本発明の実施例または既存の技術にある技術方案をよりはっきり説明できるため、下記に実施例または既存の技術を述べることに対して必要な附図を簡単に紹介する。明らかなように、下記に述べる附図はただ発明の一部分の実施例で、当業者にとって、創造的な労働を払わなくても、これらの附図に基づいてほかの附図を獲得でき、次に図１〜４を交えて本発明について詳しく説明する。意思の疎通に便利なために、後文に出る方位を下記通りに規定する：後文に出る上下左右前後方向は図１主体の投影関係の上下左右前後方向と一致する。
【００１０】
【図１】図１は本発明の横漏れ防止のパックケース全体断面の正面構造概略図
【図２】図２は本発明の横漏れ防止のパックケースの持ち上げ機構局部断面の左面拡    大構造概略図
【図３】図３は本発明の横漏れ防止のパックケースの駆動機構局部断面の左面拡大構    造概略図
【図４】図４は本発明の横漏れ防止のパックケースの持ち上げ機構局部断面の正面拡    大構造概略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１−４を参照し、本発明の横漏れ防止のパックケースは、パックケース２６及びケース蓋１を含み、前記パックケース２６には固定ブロック２９が設置され、前記固定ブロック２９の上端には前記ケース蓋１と連結される回転ロッド２０がヒンジによって連結され、前記パックケース２６の中には上方に開口した保温チャンバ２５が設置され、前記保温チャンバ２５の中には内側ボックス２７が設置され、前記パックケース２６の左端面にはＵ型ブロック２４が設置され、前記ケース蓋１の左端には下方に開口した伸縮溝２２が設置され、前記伸縮溝２２の上端壁には伸縮ばね２１が設置され、前記伸縮ばね２１の下端には下端が外部空間に位置している鉤２３が設置され、前記ケース蓋１の中には昇降チャンバ９が設置され、前記昇降チャンバ９の中には昇降板８が設置され、前記昇降板８の下端面には昇降ばね１０が設置され、前記昇降板８の下端面にはまた四本の連結ロッド５が設置され、前記昇降チャンバ９の下端壁の中には下方に開口した移動チャンバ７が設置され、前記移動チャンバ７の上端壁には下方に開口したスライドチャンバ１１が設置され、前記スライドチャンバ１１の中には回字型ブロック１３が設置され、前記回字型ブロック１３の中にはスライドブロック１５が設置され、前記スライドブロック１５の上端にはＴ字型ブロック１４が設置され、前記移動チャンバ７の左端壁の中には駆動チャンバ２が設置され、前記回字型ブロック１３の左端には左端が前記駆動チャンバ２の中に位置している移動軸１２が設置され、前記移動チャンバ７の右端壁には外部空間と前記移動チャンバ７とを連通する持ち上げ溝１８が設置され、左側の二本の前記連結ロッド５のうち一本の下端が前記駆動チャンバ２の中に位置し、もう一本の下端が前記スライドチャンバ１１の中に位置し、且つその下端にはＴ型溝６が設置され、右側の二本の前記連結ロッド５の下端が前記持ち上げ溝１８の中に位置し、前記駆動チャンバ２の中には駆動機構６３が設置され、前記駆動機構６３はモータ３０と、前記モータ３０と動力が伝達できるように連結される駆動軸２１とを含み、前記駆動軸２１の右端には円筒４がスライドできるように連結され、前記円筒４の内部空間の上下端壁にはいずれもスライド溝４０が設置され、前記駆動軸２１の右端にはリミット板３と、一端が前記スライド溝４０の中に位置している二つの回転ブロック４１とが設置され、前記駆動チャンバ２の右端壁には左端が前記円筒４の中に位置している回転軸４８が設置され、前記回転軸４８の右端には回転歯車４７と二つの電磁板４６とが設置され、前記回転軸４８の左端には下方に開口した押出溝４２が設置され、前記押出溝４２の上端壁には押出ばね４３が設置され、前記円筒４の内部空間の下端壁には上方に開口した台形溝４５が設置され、前記押出ばね４３の下端には下端が前記台形溝４５の中に位置している押出ブロック４４が設置され、前記持ち上げ溝１８の中には持ち上げ機構６２が設置され、前記持ち上げ機構６２が最右側の前記連結ロッド５の下端壁と連結されるサポート軸１７を含み、前記サポート軸１７にはラップフィルム２８が設置され、右側の二番目の前記連結ロッド５の下端にはサポートブロック５２が設置され、前記サポートブロック５２の中にはばねチャンバ３３が設置され、前記ばねチャンバ３３の中にはばね板３２が設置され、前記ばね板３２の上端には上端が外部空間に位置しているばねブロック３４が設置され、その作用は前記ケース蓋１を閉めた後に前記ラップフィルム２８を利用して前記内側ボックス２７をきつく巻き付けて横漏れを防止するのである。
【００１３】
有益なように、前記駆動機構６３はまた前記円筒４と連結されるプッシュ歯車５１を含み、前記移動軸１２の左端には前記回転歯車４７と噛み合って連結される移動歯車１９がネジ山により結合され、前記移動歯車１９の左右両端には外部空間に連通する環状溝５０が設置され、前記電磁板４６の片側端面には前記環状溝５０の中に位置しているリミットブロック４８が設置され、その作用は前記移動軸１２を移動連動させるのである。
【００１４】
有益なように、前記持ち上げ機構６２は前記ばねブロック３４の上側に位置している挟みブロック３７を含み、前記挟みブロック３７の中には二つの制限溝３５が設置され、前記制限溝３５の中には下端が前記持ち上げ溝１８の中に位置し、且つ前記ばねブロック３４と連結される二つのＴ型連結ブロック３６が設置され、前記ばね板３２の下端には圧縮ばね３８が設置され、前記昇降チャンバ９の上端壁には、下端が前記ばねチャンバ３３の下端壁を貫通し、且つ前記ばね板３２と連結される弾性縄３９が設置され、前記ばねチャンバ３３の左側の中には前記ばねチャンバ３３と連通し、且つ上方に開口した昇降溝５９が設置され、前記昇降溝５９の中にはピストン５８が設置され、前記ピストン５８の上端には溶断ブロック５７が設置され、前記スライドブロック１５の下端には下端が前記移動チャンバ７の中に位置しているスライドロッド１６が設置され、前記スライドロッド１６の下端には右端が前記持ち上げ溝１８の中に位置している第一電磁ロッド５６が設置され、前記スライドロッド１６の中には前記移動チャンバ７に連通する持ち上げチャンバ５５が設置され、前記持ち上げチャンバ５５の下端壁には持ち上げばね５３が設置され、前記持ち上げばね５３の上端には制限ブロック５４が設置され、前記制限ブロック５４の右端には右端が前記持ち上げ溝１８の中に位置している第二電磁ロッド６０が設置され、その作用は一定量の前記ラップフィルム２８を引くのである。
【００１５】
下記に、出願人は附図１−４及び上記の本出願の横漏れ防止のパックケースの具体的な構成を参考して本出願の横漏れ防止のパックケースの使用方法を詳しく紹介する：
【００１６】
初期状態にある時、円筒４と左側の電磁板４６とが互いに吸引し、回字型ブロック１３がスライドブロック１５と摩擦により連結され、但しスライドブロック１５が落ちない。
【００１７】
食べものを内側ボックス２７の中に入れ、ケース蓋１を閉め、鉤２３を引いて鉤２３の下端にＵ型ブロック２４を引っかからせ、第一電磁ロッド５６と第二電磁ロッド６０とが作動してラップフィルム２８の左端をきつく挟み、この時にモータ３０が作動して駆動軸３１を回転させ、それにより回転ブロック４１、円筒４、回転軸４８、プッシュ歯車５１、回転歯車４７及び移動歯車１９を回転連動させ、それにより移動軸１２を連動させて左へ運動させ、それによりスライドブロック１５、回字型ブロック１３、Ｔ字型ブロック１４及びスライドロッド１６を左へ運動させ、それによりきつく挟んでいるラップフィルム２８を左へ引き、Ｔ字型ブロック１４がＴ字型溝６の中に位置している時、左側の電磁板４６と円筒４とが互いに反発し合い、それにより円筒４とリミット板３とが当接し、押出ブロック４４が押出溝４２に位置し、プッシュ歯車５１が最左側の連結ロッド５の下端と噛み合い、駆動軸３１の回転が回転軸４８を回転連動させなくなり、プッシュ歯車５１が回転して連結ロッド５を連動させて下降させ、それにより昇降板８と他の三本の連結ロッド５とがいずれも下へ運動し、左側の二番目の連結ロッド５がラップフィルム２８の左端を下降連動させ、左側の二本の連結ロッド５が伝動機構６２を下降連動させる。
【００１８】
昇降板８が最下側まで下降した時、弾性縄３９が最大引張限度まで引っ張られ、且つばね板３２を下降連動させ、それにより挟みブロック３７がサポートブロック５２の上面に位置し、ラップフィルム２８をきつく挟み、ばね板３２の下降によりピストン５８が溶断ブロック５７を上昇連動させ、溶断ブロック５７がラップフィルム２８と接触した後に作動して発熱してラップフィルムを切断し、ラップフィルム２８と内側ボックス２７との相対的な密封を完成し、装置が逆方向に作動し、復帰を完成する。
【００１９】
本発明の有益な効果は：本装置は構造が簡単で、操作が便利であり、使用する時に傾斜の幅があまり大きくない場合、内側ボックスの中の汁が横から漏れにくく、また横から漏れても保温チャンバの中に残り、それによりパックケースの外面の清潔を保証し、使用者の食べる気持ちに影響しない。
【００２０】
上記は本発明の具体的な実施方式であり、但し発明の保護範囲はこれだけに限らなく、すべての創造的な労働を通さない場合で想到する変化または入れ替えりは、発明の保護範囲に含まれる。そのため、発明の保護範囲は請求項に限定した保護範囲に基づくべきである。